(57)【要約】【課題】  誰でも簡単に短時間で組立・分解が可能で構造が簡単で安価で、安全に作業出来る太陽光発電パネル設置工事用落下防止安全柵を開発・提供する事にある。【解決手段】  上下方向中間部に差し込み式接続部を設けて二分割に分離可能に設け、上下方向の左右交互に所定間隔離して設けた折り畳み収納式梯子をそれぞれ設け、上下部及び中間部に安全ロープ等の保持部材及び防護ネットを係止する為の固定金具をそれぞれ設け、上下部及び中間部に連結部材固定用穴をそれぞれ設けた支柱ＡＳＳと、支柱ＡＳＳの上下及び中間部に係止部材により一端を係止し他端を家屋の側壁部に宛がい、支柱の転倒を防止する支持部材と、支柱上部の左右に設けた固定金具にそれぞれ係止して設けた防護ネットと、支柱の転倒防止及び作業者の落下防止用の保持部材と、落下防止兼ズレ防止用のロック機能付スライド金具と、安全ストッパーとから成る。【選択図】  図９
0003159172.tif 000002
【実用新案登録請求の範囲】
【請求項１】
太陽光発電パネル（ＳＰ）の設置工事を行う際に仮設される収納式梯子付支柱及び防護ネット・保持部材等で構成される落下防止安全柵において、上下方向の中間部に差し込み式接続部（Ｊ）を設けて二分割に分離可能に設け、且つ、上下方向の左右交互に所定間隔離して設けた折り畳み収納式梯子（１ｃ）（２ｃ）をそれぞれ設け、且つ、上下部及び中間部に安全ロープ等の保持部材（６）及び防護ネット（５）を係止する為の固定金具（１ｅ）（２ｅ）をそれぞれ設け、且つ、上下部及び中間部に連結部材固定用穴（１ａ'）（２ａ'）をそれぞれ設けた支柱ＡＳＳ（３）と、支柱ＡＳＳ（３）の上下及び中間部に係止部材（９）により一端を係止し、他端を家屋（Ｈ）の側壁部に宛がい、支柱の転倒を防止する支持部材（４）と、支柱上部の左右に設けた固定金具（２ｅ）（２ｅ）にそれぞれ係止して設けた防護ネット（５）と、支柱の転倒防止及び作業者の落下防止用の保持部材（６）と、落下防止兼ズレ防止用のロック機能付スライド金具（７）と、安全ストッパー（８）とから成り、使用時は上下連結した支柱ＡＳＳ（３）を、家屋（Ｈ）の両端側壁部に沿って平行にそれぞれ立設し、且つ、支柱ＡＳＳの上下部及び中間部に、支持部材（４）の一端部を係止部材（９）で係止し、他端部を家屋（Ｈ）の両端側壁部にそれぞれ宛がい、且つ、支持部材（４）が家屋（Ｈ）の側壁部に対して、それぞれ直角になるよう所定間隔離して設け、且つ、一対に組み合わせた左右支柱ＡＳＳ（３）の左右及び後方を複数の保持部材（６）で保持して転倒を防止し、且つ、支柱ＡＳＳ（３）上部の左右２箇所に設けた固定金具（２ｅ）（２ｅ）部に防護ネット（５）の外側に設けた止め金具（５ｅ）（５ｅ）をそれぞれ係止し、且つ、防護ネット（５）の内側に設けた止め金具（５ｅ）（５ｅ）を、保持部材（６）に挿通したロック機能付スライド金具（７）のフック部（７ｂ）にそれぞれ係止し、且つ、スライド金具（７）の内側に安全ストッパー（８）を挿通固着して設けた事を特徴とする太陽光発電パネル設置工事用落下防止安全柵。
【請求項２】
上下方向の中間部に差し込み式接続部（Ｊ）を設けて二分割に分離可能に設け、且つ、上下方向の左右交互に所定間隔離して設けた折り畳み収納式梯子（１ｃ）（２ｃ）をそれぞれ設け、且つ、上下部及び中間部に安全ロープ等の保持部材（６）及び防護ネット（５）を係止する為の固定金具（１ｅ）（２ｅ）をそれぞれ設け、且つ、上下部及び中間部に連結部材固定用穴（１ａ'）（２ａ'）をそれぞれ設けた支柱ＡＳＳ（３）と、上下連結した２本の支柱ＡＳＳ（３）と支柱ＡＳＳ（３）の上下及び中間部を連結する為の連結部材（４'）と、支柱上部の前後・左右に設けた固定金具（２ｅ）（２ｅ）・（２ｅ）（２ｅ）にそれぞれ係止して設けた防護ネット（５）と、支柱の転倒防止及び作業者の落下防止用の保持部材（６）と、落下防止兼ズレ防止用のロック機能付スライド金具（７）と、安全ストッパー（８）から成り、使用時は上下連結した２本の支柱ＡＳＳ（３）と支柱ＡＳＳ（３）の上下及び中間部を連結部材（４'）でそれぞれ連結し、且つ、設置工事を行う家屋の側壁面に対して直角になるよう立設した一対の支柱を、家屋（Ｈ）の側壁面に沿って左右方向に所定間隔離して平行にそれぞれ設け、且つ、一対に組み合わせた左右支柱の左右及び後方を複数の保持部材（６）で保持して転倒を防止し、且つ、支柱上部の前後・左右４箇所に設けた固定金具（２ｅ）（２ｅ）・（２ｅ）（２ｅ）部に防護ネット（５）を係止して設けた事を特徴とする請求項１記載の太陽光発電パネル設置工事用落下防止安全柵。
【請求項３】
支柱上部に設けた固定金具（２ｅ）部に安全ロープ等の保持部材（６）の一端を固着して垂下し、且つ、保持部材（６）の他端部にロック機能付スライド金具（７）と安全ストッパー（８）を上下方向に分離して挿通固着する事で、作業者が設置工事を行う為支柱の梯子を使用して登る際、作業者（ＷＯ）が着用した命綱（Ｌ）をロック機能付スライド金具（７）のフック部（７ｂ）に係止して使用する事で、落下防止可能に設けた事を特徴とする請求項１及び請求項２記載の太陽光発電パネル設置工事用落下防止安全柵。
【考案の詳細な説明】
【技術分野】
【０００１】
この考案は、太陽光発電パネルの設置工事を行う際に仮設される収納式梯子付支柱及び防護ネット・保持具等で構成される落下防止安全柵に関するものである。
【背景技術】
【０００２】
従来、太陽光発電パネル設置工事に限らず、建築関連の高所作業を行う際には、家屋の側壁面に作業足場と成るパイプ材を組み合わせ、更にその外周面にネットやシートを張って落下防止や騒音・粉塵防止や飛散防止等の安全対策を行っている。
【０００３】
しかしながら、太陽光発電パネル設置工事の場合は、新築工事の場合を除いて、既設の家屋の屋根部に追加工事をする場合が大半の為、その工事だけの為に足場を組んで作業をするという事は、工期や経費や作業性面で問題があった。
【０００４】
そこで、何とか誰でも簡単に短時間で組立・分解が可能で、且つ、構造が簡単で安価で、且つ、安全に作業出来る太陽光発電パネル設置工事用落下防止安全柵を開発・提供する事が望まれている。
【先行技術文献】
【特許文献】
【０００５】
そこで、これまでに出願されている落下防止安全柵に関する特許文献を参考の為、紹介する（特許文献１〜３参照）。
【特許文献１】特開平１０−１６８８２４
【特許文献２】特開２００２−３５６８１９
【特許文献３】特開２００５−３４４３７０
【考案の概要】
【考案が解決しようとする課題】
【０００６】
そこで、上記課題を解決する為に、この考案は誰でも簡単に短時間で組立・分解が可能で、且つ、構造が簡単で安価で、且つ、安全に作業出来る太陽光発電パネル設置工事用落下防止安全柵を開発・提供する事にある。
【課題を解決するための手段】
【０００７】
この課題を解決するための手段として、上下方向の中間部に差し込み式接続部を設けて二分割に分離可能に設け、且つ、上下方向の左右交互に所定間隔離して設けた折り畳み収納式梯子をそれぞれ設け、且つ、上下部及び中間部に安全ロープ等の保持部材及び防護ネットを係止する為の固定金具をそれぞれ設け、且つ、上下部及び中間部に連結部材固定用穴をそれぞれ設けた支柱ＡＳＳと、支柱ＡＳＳの上下及び中間部に係止部材により一端を係止し、他端を家屋の側壁部に宛がい、支柱の転倒を防止する支持部材と、支柱上部の左右に設けた固定金具にそれぞれ係止して設けた防護ネットと、支柱の転倒防止及び作業者の落下防止用の保持部材と、落下防止兼ズレ防止用のロック機能付スライド金具と、安全ストッパーとから成り、使用時は上下連結した支柱ＡＳＳを、家屋の両端側壁部に沿って平行にそれぞれ立設し、且つ、支柱ＡＳＳの上下部及び中間部に、支持部材の一端部を係止部材で係止し、他端部を家屋の両端側壁部にそれぞれ宛がい、且つ、支持部材が家屋の側壁部に対して、それぞれ直角になるよう所定間隔離して設け、且つ、一対に組み合わせた左右支柱ＡＳＳの左右及び後方を複数の保持部材で保持して転倒を防止し、且つ、支柱ＡＳＳ上部の左右２箇所に設けた固定金具部に防護ネットの外側に設けた止め金具をそれぞれ係止し、且つ、防護ネットの内側に設けた止め金具を、保持部材に挿通したロック機能付スライド金具のフック部にそれぞれ係止し、且つ、スライド金具の内側に安全ストッパーを挿通固着して設けたものである。
【０００８】
又、支柱上部に設けた固定金具部に安全ロープ等の保持部材の一端を固着して垂下し、且つ、保持部材の他端部にロック機能付スライド金具と安全ストッパーを上下方向に分離して挿通固着する事で、作業者が設置工事を行う為支柱の梯子を使用して登る際、作業者が着用した命綱をロック機能付スライド金具のフック部に係止して使用する事で、落下防止可能に設けたものである。
【考案の効果】
【０００９】
この考案の効果として、上下方向の中間部に差し込み式接続部を設けて二分割に分離可能に設け、且つ、上下方向の左右交互に所定間隔離して設けた折り畳み収納式梯子をそれぞれ設け、且つ、上下部及び中間部に安全ロープ等の保持部材及び防護ネットを係止する為の固定金具をそれぞれ設け、且つ、上下部及び中間部に連結部材固定用穴をそれぞれ設けた支柱ＡＳＳと、支柱ＡＳＳの上下及び中間部に係止部材により一端を係止し、他端を家屋の側壁部に宛がい、支柱の転倒を防止する支持部材と、支柱上部の左右に設けた固定金具にそれぞれ係止して設けた防護ネットと、支柱の転倒防止及び作業者の落下防止用の保持部材と、落下防止兼ズレ防止用のロック機能付スライド金具と、安全ストッパーとから成り、使用時は上下連結した支柱ＡＳＳを、家屋の両端側壁部に沿って平行にそれぞれ立設し、且つ、支柱ＡＳＳの上下部及び中間部に、支持部材の一端部を係止部材で係止し、他端部を家屋の両端側壁部にそれぞれ宛がい、且つ、支持部材が家屋の側壁部に対して、それぞれ直角になるよう所定間隔離して設け、且つ、一対に組み合わせた左右支柱ＡＳＳの左右及び後方を複数の保持部材で保持して転倒を防止し、且つ、支柱ＡＳＳ上部の左右２箇所に設けた固定金具部に防護ネットの外側に設けた止め金具をそれぞれ係止し、且つ、防護ネットの内側に設けた止め金具を、保持部材に挿通したロック機能付スライド金具のフック部にそれぞれ係止し、且つ、スライド金具の内側に安全ストッパーを挿通固着して設け、又、支柱上部に設けた固定金具部に安全ロープ等の保持部材の一端を固着して垂下し、且つ、保持部材の他端部にロック機能付スライド金具と安全ストッパーを上下方向に分離して挿通固着する事で、作業者が設置工事を行う為支柱の梯子を使用して登る際、作業者が着用した命綱をロック機能付スライド金具のフック部に係止して使用する事で、落下防止可能に設けた事で、誰でも簡単に短時間で組立・分解が可能に成り、且つ、構造が簡単で安価であり、且つ、作業性が良く安全に作業出来る等、極めて有益なる効果を奏するものである。
【図面の簡単な説明】
【００１０】
【図１】この考案の一実施例を示し、（Ａ）は上部支柱の正面図で、（Ｂ）は右側面図で、（Ｃ）は図１（Ａ）のａ部拡大詳細図で、（Ｄ）は図１（Ｂ）のｂ部拡大詳細図である。
【図２】この考案の一実施例を示し、（Ａ）は下部支柱の正面図で、（Ｂ）は右側面図で、（Ｃ）は図２（Ａ）のａ部拡大詳細図で、（Ｄ）は図２（Ｂ）のｂ部拡大詳細図である。
【図３】この考案の一実施例を示し、（Ａ）は上下支柱の組立（ＡＳＳ）図の左側面図で、（Ｂ）正面図で、（Ｃ）は右側面図である。
【図４】この考案の一実施例を示し、（Ａ）は支持部材の平面図で、（Ｂ）は正面図で、（Ａ'）は連結部材の平面図で、（Ｂ'） は正面図である。
【図５】この考案の一実施例を示し、（Ａ）は防護ネットの正面図で、（Ｂ）は平面図である。
【図６】この考案の一実施例を示し、（Ａ）は保持部材の正面図で、（Ｂ）は平面図である。
【図７】この考案の一実施例を示し、（Ａ）ロック機能付スライド金具を示し、（Ｂ）は図１（Ａ）のａ部拡大詳細図で、（Ｃ）は図１（Ｂ）のｂ−ｂ矢視拡大断面図である。
【図８】この考案の一実施例を示し、（Ａ）安全ストッパーの一部欠截正面図で、（Ｂ）は右側面図である。
【図９】この考案の一実施例を示し、（Ａ）は係止部材の平面図で、（Ｂ）は正面図である。
【図１０】この考案の使用例を示し、太陽光発電パネル設置工事用落下防止安全柵の組立要領を示す斜視図である。
【図１１】この考案の使用例を示し、落下防止用保持部材とロック機能付スライド金具と安全ストッパーの取付要領を示す斜視図である。
【図１２】この考案のその他の使用例を示し、太陽光発電パネル設置工事用落下防止安全柵の組立要領を示す斜視図である。
【考案を実施するための形態】
【００１１】
考案を実施するための形態として、太陽光発電パネル（ＳＰ）の設置工事を行う際に仮設される収納式梯子付支柱及び防護ネット・保持部材等で構成される落下防止安全柵において、上下方向の中間部に差し込み式接続部（Ｊ）を設けて二分割に分離可能に設け、且つ、上下方向の左右交互に所定間隔離して設けた折り畳み収納式梯子（１ｃ）（２ｃ）をそれぞれ設け、且つ、上下部及び中間部に安全ロープ等の保持部材（６）及び防護ネット（５）を係止する為の固定金具（１ｅ）（２ｅ）をそれぞれ設け、且つ、上下部及び中間部に連結部材固定用穴（１ａ'）（２ａ'）をそれぞれ設けた支柱ＡＳＳ（３）と、支柱ＡＳＳ（３）の上下及び中間部に係止部材（９）により一端を係止し、他端を家屋（Ｈ）の側壁部に宛がい、支柱の転倒を防止する支持部材（４）と、支柱上部の左右に設けた固定金具（２ｅ）（２ｅ）にそれぞれ係止して設けた防護ネット（５）と、支柱の転倒防止及び作業者の落下防止用の保持部材（６）と、落下防止兼ズレ防止用のロック機能付スライド金具（７）と、安全ストッパー（８）とから成り、使用時は上下連結した支柱ＡＳＳ（３）を、家屋（Ｈ）の両端側壁部に沿って平行にそれぞれ立設し、且つ、支柱ＡＳＳの上下部及び中間部に、支持部材（４）の一端部を係止部材（９）で係止し、他端部を家屋（Ｈ）の両端側壁部にそれぞれ宛がい、且つ、支持部材（４）が家屋（Ｈ）の側壁部に対して、それぞれ直角になるよう所定間隔離して設け、且つ、一対に組み合わせた左右支柱ＡＳＳ（３）の左右及び後方を複数の保持部材（６）で保持して転倒を防止し、且つ、支柱ＡＳＳ（３）上部の左右２箇所に設けた固定金具（２ｅ）（２ｅ）部に防護ネット（５）の外側に設けた止め金具（５ｅ）（５ｅ）をそれぞれ係止し、且つ、防護ネット（５）の内側に設けた止め金具（５ｅ）（５ｅ）を、保持部材（６）に挿通したロック機能付スライド金具（７）のフック部（７ｂ）にそれぞれ係止し、且つ、スライド金具（７）の内側に安全ストッパー（８）を挿通固着して設けた事を特徴とする太陽光発電パネル設置工事用落下防止安全柵から構成される。
【００１２】
又、支柱上部に設けた固定金具（２ｅ）部に安全ロープ等の保持部材（６）の一端を固着して垂下し、且つ、保持部材（６）の他端部にロック機能付スライド金具（７）と安全ストッパー（８）を上下方向に分離して挿通固着する事で、作業者が設置工事を行う為支柱の梯子を使用して登る際、作業者（ＷＯ）が着用した命綱（Ｌ）をロック機能付スライド金具（７）のフック部（７ｂ）に係止して使用する事で、落下防止可能に設けた事を特徴とする請求項１及び請求項２記載の太陽光発電パネル設置工事用落下防止安全柵から構成される。
【実施例１】
【００１３】
そこで、この考案の一実施例を図１〜図８に基づいて詳述すると、まず図１（Ａ）（Ｂ）（Ｃ）（Ｄ）に示す下部支柱本体（１ａ）は□７５ｍｍ×７５ｍｍ×長さ約４０００ｍｍ×板厚５．５ｍｍの角パイプ材を使用し、且つ、下部支柱本体の上下方向の左右交互に所定間隔離して設けた折り畳み収納式梯子（１ｃ）をそれぞれ設け、且つ、下部支柱本体の上下部に安全ロープ等の保持部材（６）及び防護ネット（５）を係止する為の固定金具（１ｅ）をそれぞれ設け、且つ、上下部に連結部材固定用穴（１ａ'）（１ａ'）をそれぞれ設け、且つ、下部支柱本体の下端部に埋り込み防止用底板（１ｂ）を設けている。又、上記折り畳み収納式梯子（１ｃ）は、図１（Ｃ）（Ｄ）に示すように、回動軸部はボルト・ナット・ワッシャー等の係止部材で軸支され、且つ、水平方向から垂直方向に折り畳み収納が可能で、梯子使用時は梯子（１ｃ）を水平状態に倒し、固定板（１ｄ）のＵ字切欠部で固定して使用する。
【００１４】
又、図１（Ａ）（Ｂ）（Ｃ）（Ｄ）に示す上部支柱本体（２ａ）は□６０ｍｍ×６０ｍｍ×長さ約４０００ｍｍ×板厚５．２ｍｍの角パイプ材を使用し、且つ、上部支柱本体の上下方向の左右交互に所定間隔離して設けた折り畳み収納式梯子（２ｃ）をそれぞれ設け、且つ、上部支柱本体の上下部に安全ロープ等の保持部材（６）を係止する為の固定金具（２ｅ）をそれぞれ設け、且つ、上部支柱本体の下部に連結部材固定用穴（２ａ'）を設けている。又、上記折り畳み収納式梯子（１ｃ）は、図２（Ｃ）（Ｄ）に示すように、前記（０００９）と同様に、回動軸部はボルト・ナット・ワッシャー等の係止部材で軸支され、且つ、水平方向から垂直方向に折り畳み収納が可能で、梯子使用時は梯子（２ｃ）を水平状態に倒し、固定板（２ｄ）のＵ字切欠部で固定して使用する。
【００１５】
そして、図３（Ａ）（Ｂ）（Ｃ）は、上部支柱と下部支柱を連結した時の組立図（ＡＳＳ図）を示し、（Ａ）は左側面図で、（Ｂ）は正面図で、（Ｃ）は右側面図である。
【００１６】
又、図４（Ａ）（Ｂ）は、一端を係止部材（９）で支柱を係止し、他端を家屋の側壁に宛がい、支柱の転倒を防止する為の支持部材（４）を示すものである。又、図４（Ａ'）（Ｂ'）は、下記（００２１）のその他の実施例２で使用する連結部材（４'）の平面図と正面図を示すもので、上下連結した支柱ＡＳＳ（３）と支柱ＡＳＳ（３）とを、更に前後方向に連結する為のもので、連結部材（４'）の両端にはボルト・ナット・ワッシャー等の係止部材を係止する為の、固定用穴（４'ａ）（４'ａ）をそれぞれ設けている。
【００１７】
又、図５（Ａ）（Ｂ）は、防護ネット（５）を示し、（Ａ）は正面図で、（Ｂ）は平面図である。又、防護ネット（５）は所定長さ（約２０ｍ）と所定幅（約１．５ｍ）を有し、且つ、矩形状に形成したネット（５ｃ）の外周は直径約２０ｍｍの強力なロープで包囲編着され、且つ、長手方向中間部にも複数の中間補助ロープ（５ｂ）（５ｂ）をそれぞれ懸架して、万が一、作業者が落下してもネットが破損しないよう安全対策を施している。
【００１８】
又、図６（Ａ）（Ｂ）は、安全ロープ等の保持部材（６）を示し、（Ａ）は正面図で、（Ｂ）は平面図である。又、保持部材本体（６ａ）の両端には開閉機能付フック（６ｂ）がそれぞれ係止され、容易に着脱可能に設けている。
【００１９】
又、図７（Ａ）（Ｂ）（Ｃ）は、落下防止兼ズレ防止用に使用する、ロック機能付スライド金具（７）を示し、（Ａ）は保持部材（６）への取付要領図を示し、（Ｂ）は図７（Ａ）のａ部拡大詳細断面図を示し、（Ｃ）は図７（Ｂ）のｂ−ｂ矢視拡大断面図である。そして、ロック機能付スライド金具（７）は、前記断面図に示すように、スライド金具本体（７ａ）の内面片側一端に上下移動式楔（７ｃ）を設け、且つ、該上下移動式楔の外周部に命綱（Ｌ）のロープ又は防護ネットの止め金具（５ｅ）を係止する為の係止用フック（７ｂ）を設け、且つ、内面片側他端部に傾斜状の止め板（７ｄ）を設けている。
【００２０】
又、このロック機能付スライド金具（７）は保持部材（６）に挿通して使用するもので、落下防止用に使用する際は、図１１に示すように、支柱の上部に係止した保持部材（６）に挿通したロック機能付スライド金具（７）のフック部（７ｂ）に命綱（Ｌ）のロープを係止して使用する。前記ロック機能付スライド金具（７）の取付要領は、図７（Ｂ）に示すように、フック部（７ｂ）側を上向きにして保持部材に挿通することで、上昇時は上下移動式楔（７ｃ）が解放側に移動してスムーズに昇降可能で、万が一落下してもフックが固定側に移動して、ロック状態になる為、落下を防止することが可能である。又、前記保持部材（６）には、ロック機能付スライド金具（７）の下部に安全ストッパー（８）を二重に設けている為、万が一、ロック機能付スライド金具（７）がロックされなかった場合でも地上まで落下することがないよう、安全対策が設けられている。
【００２１】
又、図８（Ａ）（Ｂ）は安全ストッパー（８）を示し、（Ａ）は一部欠截正面図で、（Ｂ）は右側面図である。
【００２２】
又、図９（Ａ）（Ｂ）は係止部材を示し、（Ａ）は一部欠截平面図で、（Ｂ）は正面図である。
【００２３】
次に、この考案の落下防止安全柵の取付要領について説明すると、図１０に示すように、まず、最初に上下連結した支柱ＡＳＳ（３）を、家屋（Ｈ）の両端側壁部に沿って平行にそれぞれ立設し、且つ、支柱ＡＳＳの上下部及び中間部に、支持部材（４）の一端部を係止部材（９）で係止し、他端部を家屋（Ｈ）の両端側壁部にそれぞれ宛がい、且つ、支持部材（４）が家屋（Ｈ）の側壁部に対して、それぞれ直角になるよう所定間隔離して設け、且つ、一対に組み合わせた左右支柱ＡＳＳ（３）の左右及び後方を複数の保持部材（６）で保持して転倒を防止し、且つ、支柱ＡＳＳ（３）上部の左右２箇所に設けた固定金具（２ｅ）（２ｅ）部に防護ネット（５）の外側に設けた止め金具（５ｅ）（５ｅ）をそれぞれ係止し、且つ、防護ネット（５）の内側に設けた止め金具（５ｅ）（５ｅ）を、保持部材（６）に挿通したロック機能付スライド金具（７）のフック部（７ｂ）にそれぞれ係止し、且つ、スライド金具（７）の内側に安全ストッパー（８）を挿通固着して設け、最後に支柱上部に設けた固定金具（２ｅ）部に安全ロープ等の保持部材（６）の一端を固着して垂下し、且つ、保持部材（６）の他端部にロック機能付スライド金具（７）と安全ストッパー（８）を上下方向に分離して挿通固着する。
【実施例２】
【００２４】
その他の実施例として、図１２に示すように、まず、最初に上部支柱（１）の下端部を下部支柱（２）の上端部に挿入嵌着して支柱ＡＳＳ（３）を形成し、次に上下連結した２本の支柱ＡＳＳ（３）と支柱ＡＳＳ（３）の上下及び中間部を連結部材（４）でそれぞれ連結し、且つ、設置工事を行う家屋の側壁面に対して直角になるよう立設した一対の支柱を、家屋（Ｈ）の側壁面に沿って左右方向に所定間隔離して設け、且つ、一対に組み合わせた左右支柱の左右及び後方を、複数の安全ロープ等の保持部材（６）で、保持して転倒を防止し、且つ、支柱上部の前後・左右４箇所に設けた固定金具（２ｅ）（２ｅ）・（２ｅ）（２ｅ）部に防護ネット（５）を係止して設け、最後に支柱上部に設けた固定金具（２ｅ）部に安全ロープ等の保持部材（６）の一端を固着して垂下し、且つ、保持部材（６）の他端部にロック機能付スライド金具（７）と安全ストッパー（８）を上下方向に分離して挿通固着する。
【００２５】
実施例１と実施例２の主な相違点は、支柱ＡＳＳが実施例１の場合は２本使用しているのに対し、実施例２の場合は４本使用している。又、実施例１の場合は支柱ＡＳＳ（３）と支持部材（４）を係止部材で係止し、支持部材（４）の一端を家屋（Ｈ）の側壁に宛がい、且つ、保持部材（６）で保持することで転倒を防止する構造であるのに対し、実施例２の場合は支柱ＡＳＳ（３）と支柱ＡＳＳ（３）を連結部材（４'）とボルト（Ｂ）・ナット（Ｎ）・ワッシャー（Ｗ）等の係止部材で連結し、且つ、保持部材（６）で保持することで転倒を防止する構造である。
【００２６】
又、上記、実施例１と実施例２の使い分けに関しては、現場の状況や工期やコスト等に応じて、適宜柔軟に対応可能である。
【産業上の利用可能性】
【００２７】
この考案の太陽光発電パネル設置工事用落下防止安全柵は、誰でも簡単に短時間で組立・分解が可能で、且つ、構造が簡単で安価で、且つ、安全に作業出来る為、多くの建築工事関係市場に寄与する為、産業上の利用可能性を有する。
【符号の説明】
【００２８】
１  上部支柱
１ａ  上部支柱本体
１ａ'  連結部材固定用穴
１ｂ  底板
１ｃ  梯子
１ｄ  固定板
１ｅ  固定金具
２  下部支柱
２ａ  下部支柱本体
２ａ'   連結部材固定用穴
２ｂ  止め部材
２ｃ  梯子
２ｄ  固定板
２ｅ  固定金具
３  支柱ＡＳＳ
４  支持部材
４ａ  連結部材固定用穴
４'  連結部材
４'ａ  連結部材固定用穴
５  防護ネット
５ａ  外周ロープ
５ｂ  中間補助ロープ
５ｃ  ネット
５ｄ  連結金具
５ｅ  止め金具
６  安全ロープ等の保持部材
６ａ  保持部材本体
６ｂ  引掛用フック
７  ロック機能付スライド金具
７ａ  スライド金具本体
７ｂ  ロープ係止用フック
７ｃ  上下移動式楔
７ｄ  傾斜状止め板
８  安全ストッパー
９  係止部材
９ａ  取付板
９ｂ  コの字状クランプボルト
Ｂ  ボルト
Ｈ  家屋
Ｊ  差し込み式接続部
Ｌ  命綱
Ｎ  ナット
ＳＰ  太陽光発電パネル
Ｗ  ワッシャー
ＷＯ  作業者
【図１】
0003159172.tif 000003
【図２】
0003159172.tif 000004
【図３】
0003159172.tif 000005
【図４】
0003159172.tif 000006
【図５】
0003159172.tif 000007
【図６】
0003159172.tif 000008
【図７】
0003159172.tif 000009
【図８】
0003159172.tif 000010
【図９】
0003159172.tif 000011
【図１０】
0003159172.tif 000012
【図１１】
0003159172.tif 000013
【図１２】
0003159172.tif 000014
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
太陽光発電パネル（ＳＰ）の設置工事を行う際に仮設される収納式梯子付支柱及び防護ネット・保持部材で構成される落下防止安全柵において、上下方向の中間部に差し込み式接続部（Ｊ）を設けて二分割に分離可能に設け、且つ、上下方向の左右交互に所定間隔離して設けた折り畳み収納式梯子（１ｃ）（２ｃ）をそれぞれ設け、且つ、上下部及び中間部に安全ロープ等の保持部材（６）及び防護ネット（５）を係止する為の固定金具（１ｅ）（２ｅ）をそれぞれ設け、且つ、上下部及び中間部に連結部材固定用穴（１ａ'）（２ａ'）をそれぞれ設けた支柱ＡＳＳ（３）と、支柱ＡＳＳ（３）の上下及び中間部に係止部材（９）により一端を係止し、他端を家屋（Ｈ）の側壁部に宛がい、支柱の転倒を防止する支持部材（４）と、支柱上部の左右に設けた固定金具（２ｅ）（２ｅ）にそれぞれ係止して設けた防護ネット（５）と、支柱の転倒防止及び作業者の落下防止用の保持部材（６）と、落下防止兼ズレ防止用のロック機能付スライド金具（７）と、安全ストッパー（８）とから成り、使用時は上下連結した支柱ＡＳＳ（３）を、家屋（Ｈ）の両端側壁部に沿って平行にそれぞれ立設し、且つ、支柱ＡＳＳの上下部及び中間部に、支持部材（４）の一端部を係止部材（９）で係止し、他端部を家屋（Ｈ）の両端側壁部にそれぞれ宛がい、且つ、支持部材（４）が家屋（Ｈ）の側壁部に対して、それぞれ直角になるよう所定間隔離して設け、且つ、一対に組み合わせた左右支柱ＡＳＳ（３）の左右及び後方を複数の保持部材（６）で保持して転倒を防止し、且つ、支柱ＡＳＳ（３）上部の左右２箇所に設けた固定金具（２ｅ）（２ｅ）部に防護ネット（５）の外側に設けた止め金具（５ｅ）（５ｅ）をそれぞれ係止し、且つ、防護ネット（５）の内側に設けた止め金具（５ｅ）（５ｅ）を、保持部材（６）に挿通したロック機能付スライド金具（７）のフック部（７ｂ）にそれぞれ係止し、且つ、スライド金具（７）の内側に安全ストッパー（８）を挿通固着して設けた事を特徴とする太陽光発電パネル設置工事用落下防止安全柵。
【請求項２】
上下方向の中間部に差し込み式接続部（Ｊ）を設けて二分割に分離可能に設け、且つ、上下方向の左右交互に所定間隔離して設けた折り畳み収納式梯子（１ｃ）（２ｃ）をそれぞれ設け、且つ、上下部及び中間部に安全ロープ等の保持部材（６）及び防護ネット（５）を係止する為の固定金具（１ｅ）（２ｅ）をそれぞれ設け、且つ、上下部及び中間部に連結部材固定用穴（１ａ'）（２ａ'）をそれぞれ設けた支柱ＡＳＳ（３）と、上下連結した２本の支柱ＡＳＳ（３）と支柱ＡＳＳ（３）の上下及び中間部を連結する為の連結部材（４'）と、支柱上部の前後・左右に設けた固定金具（２ｅ）（２ｅ）・（２ｅ）（２ｅ）にそれぞれ係止して設けた防護ネット（５）と、支柱の転倒防止及び作業者の落下防止用の保持部材（６）と、落下防止兼ズレ防止用のロック機能付スライド金具（７）と、安全ストッパー（８）から成り、使用時は上下連結した２本の支柱ＡＳＳ（３）と支柱ＡＳＳ（３）の上下及び中間部を連結部材（４'）でそれぞれ連結し、且つ、設置工事を行う家屋の側壁面に対して直角になるよう立設した一対の支柱を、家屋（Ｈ）の側壁面に沿って左右方向に所定間隔離して平行にそれぞれ設け、且つ、一対に組み合わせた左右支柱の左右及び後方を複数の保持部材（６）で保持して転倒を防止し、且つ、支柱上部の前後・左右４箇所に設けた固定金具（２ｅ）（２ｅ）・（２ｅ）（２ｅ）部に防護ネット（５）を係止して設けた事を特徴とする請求項１記載の太陽光発電パネル設置工事用落下防止安全柵。
【請求項３】
支柱上部に設けた固定金具（２ｅ）部に安全ロープ等の保持部材（６）の一端を固着して垂下し、且つ、保持部材（６）の他端部にロック機能付スライド金具（７）と安全ストッパー（８）を上下方向に分離して挿通固着する事で、作業者が設置工事を行う為支柱の梯子を使用して登る際、作業者（ＷＯ）が着用した命綱（Ｌ）をロック機能付スライド金具（７）のフック部（７ｂ）に係止して使用する事で、落下防止可能に設けた事を特徴とする請求項１または請求項２記載の太陽光発電パネル設置工事用落下防止安全柵。